(57)【特許請求の範囲】
【請求項１】
情報処理装置であって、
管理部と、更新部と、出力部とを備え、
前記管理部は、共通情報と、固定資産情報とを管理し、
前記共通情報は、前記固定資産情報の１つ以上に共通する事項を含み、該事項が有効期間毎に識別情報に紐付けられ、
前記固定資産情報は、固定資産の内容と、有効期間と前記識別情報との組を含み、
前記更新部は、受付画面を提供し、該受付画面に対する入力に応じて前記共通情報と前記固定資産情報とのそれぞれ更新可能に構成され、
前記受付画面は、デフォルトとして有効期間の始点が選択された状態で提供され、
前記更新は、前記始点が変更された場合には、該変更された始点を含む新たな追加情報を追加し、有効期間に前記追加情報の有効期間の始点を含む既存情報が前記管理部で管理されていた場合には、該既存情報の有効期間の終点を前記追加情報の有効期間の始点と連続するように変更することで行い、前記始点が変更されなかった場合には、該始点が有効期間の始点である既存情報を修正し、
前記出力部は、前記固定資産情報を画面表示用の表示情報又はファイルとして出力する際に、前記固定資産情報のうち指定日時が有効期間に含まれる固定資産の内容と、該固定資産の内容に対応する前記識別情報から特定される前記共通情報のうち前記指定日時が有効期間に含まれる事項とを含めて出力する
情報処理装置。
【請求項２】
請求項１に記載の情報処理装置において、
前記更新部は、前記追加情報の有効期間の始点よりも始点が後となる有効期間を含む既存情報が前記管理部で管理されていた場合には、前記追加情報の有効期間の終点を該既存情報の有効期間の始点と連続するように変更する
情報処理装置。
【請求項３】
請求項１又は請求項２に記載の情報処理装置において、
前記共通情報は、固定資産が所属する場所又は配置される場所を示す場所情報を含む
情報処理装置。
【請求項４】
請求項１乃至請求項３のいずれか１項に記載の情報処理装置において、
前記受付画面は、更新を指示する指示ボタンに隣接する位置に、前記追加情報の有効期間の始点を入力又は選択する期間入力欄が配置されている
情報処理装置。
【請求項５】
請求項１乃至請求項３のいずれか１項に記載の情報処理装置において、
前記更新部は、確認画面を提供可能に構成され、
前記受付画面は、更新を指示する指示ボタンが配置され、
前記確認画面は、前記追加情報の有効期間の始点を入力又は選択する期間入力欄が配置され、前記指示ボタンの押下に対応して表示される
情報処理装置。
【請求項６】
請求項４又は請求項５に記載の情報処理装置において、
前記受付画面は、前記共通情報の事項を入力する事項入力欄と、写真の入力を受け付ける受付ボタンとを備え、
前記更新部は、前記受付ボタンに応じて受け付けた写真に付随する情報が前記共通情報の事項に対応する場合には、該付随する情報を前記事項入力欄に入力する
情報処理装置。
【請求項７】
請求項４又は請求項５に記載の情報処理装置において、
前記受付画面は、前記固定資産情報の内容を入力する内容入力欄と、写真の入力を受け付ける受付ボタンを備え、
前記更新部は、前記受付ボタンに応じて受け付けた写真を画像認識し、該画像認識の結果に応じた前記固定資産情報の内容を前記内容入力欄に入力する
情報処理装置。
【請求項８】
請求項４又請求項５に記載の情報処理装置において、
前記受付画面は、前記固定資産情報の内容を入力する内容入力欄を備え、
前記更新部は、前記内容入力欄に入力された情報に基づいて、前記固定資産情報とともに表示するアイコンを選択する
情報処理装置。
【請求項９】
請求項１乃至請求項８のいずれか１項に記載の情報処理装置において、
前記固定資産情報の内容は、償却期間を含み、
前記出力部は、前記固定資産情報を出力する際に、前記償却期間に応じた償却状態を示すバーを含めて出力する
情報処理装置。
【請求項１０】
請求項９に記載の情報処理装置において、
前記バーは、月毎に区切られている
情報処理装置。
【請求項１１】
請求項１乃至請求項１０のいずれか１項に記載の情報処理装置において、
前記出力部は、前記固定資産情報の一覧を前記表示情報に含めて出力する際に、前記一覧の左隣に操作オブジェクトを配置し、
前記操作オブジェクトは、前記一覧に表示する前記固定資産情報の条件の変更を受け付ける
情報処理装置。
【請求項１２】
コンピュータを情報処理装置として動作させるプログラムであって、
コンピュータを請求項１乃至請求項１１のいずれか１項に記載の情報処理装置として機能させる
プログラム。
【発明の詳細な説明】
【技術分野】
【０００１】
本発明は、情報処理装置及びプログラムに関する。
【背景技術】
【０００２】
固定資産とは、長期にわたって所有し事業を行うために使用するもので、１年を超えて使用したり、投資目的で長期間保有したりするような資産である。固定資産は、長期間保有されるものであるため、その管理が重要である。特許文献１には、固定資産を管理するシステムが開示されている。
【先行技術文献】
【特許文献】
【０００３】
【特許文献１】特開２００７−１４８５０２号公報
【発明の概要】
【発明が解決しようとする課題】
【０００４】
ところで、固定資産は、長期間保有されるものであるため、設置場所や保管場所の変更、管理者の変更等が行われることがある。また、固定資産の設置場所自体に変更は無くとも、設置場所の名称が変更されることもあり、その管理が複雑となる場合がある。
【０００５】
本発明では上記事情を鑑み、効率よく固定資産を管理することのできる情報処理装置及びプログラムを提供することとした。
【課題を解決するための手段】
【０００６】
本発明の一態様によれば、情報処理装置が提供される。この情報処理装置は、管理部と、更新部と、出力部とを備える。管理部は、共通情報と、固定資産情報とを管理する。共通情報は、固定資産情報の１つ以上に共通する事項を含み、該事項が有効期間毎に識別情報に紐付けられる。固定資産情報は、固定資産の内容と、有効期間と識別情報との組を含む。更新部は、共通情報と固定資産情報とのそれぞれ更新可能に構成される。更新は、有効期間の始点を含む新たな追加情報を追加し、有効期間に追加情報の有効期間の始点を含む既存情報が管理部で管理されていた場合には、該既存情報の有効期間の終点を追加情報の有効期間の始点と連続するように変更することで行う。出力部は、固定資産情報を画面表示用の表示情報又はファイルとして出力する際に、固定資産情報のうち指定日時が有効期間に含まれる固定資産の内容と、該固定資産の内容に対応する識別情報から特定される共通情報のうち指定日時が有効期間に含まれる事項とを含めて出力する。
【０００７】
本発明の一態様によれば、効率よく固定資産を管理することができ、固定資産の履歴を容易に把握することが可能となる。
【図面の簡単な説明】
【０００８】
【図１】本発明の実施形態に係る情報処理装置１の配置例を示した図である。
【図２】情報処理装置１の構成を示した図である。
【図３】情報処理装置１の機能的な構成を示すブロック図である。
【図４】管理部１０１が管理する情報の例を示した図である。
【図５】固定資産情報４と場所情報５と構成例を示した図である
【図６】場所情報５の更新を説明するための図である。
【図７】場所情報５の一部を表示した表示画面の例を示した図である。
【図８】受付画面の表示例を示した図である。
【図９】受付画面の表示例を示した図である。
【図１０】固定資産情報４の表示例を示した図である。
【図１１】固定資産情報４の表示例を示した図である。
【図１２】場所情報５又は固定資産情報４に、情報を追加する場合の更新部１０２の動作の流れを示すアクティビティ図である。
【図１３】固定資産情報４を出力する際の出力部１０３の動作の流れを示すアクティビティ図である。
【発明を実施するための形態】
【０００９】
以下、図面を用いて本発明の実施形態について説明する。以下に示す実施形態中で示した各種特徴事項は、互いに組み合わせ可能である。
【００１０】
ところで、本実施形態に登場するソフトウェアを実現するためのプログラムは、コンピュータが読み取り可能な非一時的な記録媒体（Ｎｏｎ−Ｔｒａｎｓｉｔｏｒｙ  Ｃｏｍｐｕｔｅｒ−Ｒｅａｄａｂｌｅ  Ｍｅｄｉｕｍ）として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【００１１】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１２】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１３】
１．全体構成
図１は、本発明の実施形態に係る情報処理装置１の配置例を示した図である。同図に示すように、情報処理装置１は、複数の利用者端末２とネットワーク３を介して通信可能に接続されている。
【００１４】
情報処理装置１は、固定資産情報を管理する装置である。なお、情報処理装置１の詳細については後述する。
【００１５】
利用者端末２は、利用者が用いる端末であり、ウェブブラウザが動作するパーソナルコンピュータやタブレット、スマートフォン等である。
【００１６】
ネットワーク３は、情報処理装置１と、利用者端末２とを通信可能にするネットワークであり、例えば、インターネットを含むものである。
【００１７】
２．情報処理装置の構成
次に、情報処理装置１の構成について説明する。図２は、情報処理装置１の構成を示した図である。同図に示すように、情報処理装置１は、処理部１１と、記憶部１２と、一時記憶部１３と、外部装置接続部１４と、通信部１５とを有しており、これらの構成要素が情報処理装置１の内部において通信バス１６を介して電気的に接続されている。
【００１８】
処理部１１は、例えば、中央処理装置（Ｃｅｎｔｒａｌ  Ｐｒｏｃｅｓｓｉｎｇ  Ｕｎｉｔ：ＣＰＵ）により実現されるもので、記憶部１２に記憶された所定のプログラムに従って動作し、種々の機能を実現する。
【００１９】
記憶部１２は、様々な情報を記憶する不揮発性の記憶媒体である。これは、例えばハードディスクドライブ（Ｈａｒｄ  Ｄｉｓｋ  Ｄｒｉｖｅ：ＨＤＤ）やソリッドステートドライブ（Ｓｏｌｉｄ  Ｓｔａｔｅ  Ｄｒｉｖｅ：ＳＳＤ）等のストレージデバイスにより実現される。なお、記憶部１２は、情報処理装置１と通信可能な別の装置に配するようにすることも可能である。
【００２０】
一時記憶部１３は、揮発性の記憶媒体である。これは、例えばランダムアクセスメモリ（Ｒａｎｄｏｍ  Ａｃｃｅｓｓ  Ｍｅｍｏｒｙ：ＲＡＭ）等のメモリにより実現され、処理部１１が動作する際に一時的に必要な情報（引数、配列等）を記憶する。
【００２１】
外部装置接続部１４は、例えばユニバーサルシリアルバス（Ｕｎｉｖｅｒｓａｌ  Ｓｅｒｉａｌ  Ｂｕｓ：ＵＳＢ）や高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ：ＨＤＭＩ）といった規格に準じた接続部であり、キーボード等の入力装置やモニタ等の表示装置を接続可能としている。
【００２２】
通信部１５は、例えばローカルエリアネットワーク（Ｌｏｃａｌ  Ａｒｅａ  Ｎｅｔｗｏｒｋ：ＬＡＮ）規格に準じた通信手段であり、情報処理装置１とローカルエリアネットワークやこれを介したインターネット等のネットワーク３との間の通信を実現する。
【００２３】
なお、情報処理装置１には、汎用のサーバ向けのコンピュータやパーソナルコンピュータ等を利用することが可能であり、複数のコンピュータを用いて情報処理装置１を構成することも可能である。
【００２４】
３．情報処理装置１の機能
次に、情報処理装置１の機能について説明する。情報処理装置１は、固定資産情報の管理に関する処理を行うもので、プログラムにしたがって動作することで、後述する各機能部を実現する。このプログラムは、コンピュータを情報処理装置として動作又は機能させるプログラムである。
【００２５】
図３は、情報処理装置１の機能的な構成を示すブロック図である。同図に示すように、情報処理装置１は、管理部１０１と、更新部１０２と、出力部１０３とを備える。管理部１０１は、共通情報と、固定資産情報とを管理する。更新部１０２は、共通情報と固定資産情報とのそれぞれ更新可能に構成される。出力部１０３は、固定資産情報を画面表示用の表示情報又はファイルとして出力する際に、固定資産情報のうち指定日時が有効期間に含まれる固定資産の内容と、該固定資産の内容に対応する識別情報から特定される共通情報のうち指定日時が有効期間に含まれる事項とを含めて出力する。なお、共通情報は、固定資産情報の１つ以上に共通する事項を含み、該事項が有効期間毎に識別情報に紐付けられる。
【００２６】
ここで、管理部１０１について説明する。図４は、管理部１０１が管理する情報の例を示した図である。図４に示すように、管理部１０１は、例えば、固定資産情報４と、場所情報５と、資産名情報６と、資産科目情報７と、部門情報８と、資産管理情報９とを管理する。場所情報５と、資産名情報６と、資産科目情報７と、部門情報８と、資産管理情報９は、いずれも共通情報である。つまり、共通情報は、場所情報を含む。場所情報５は、固定資産が所属する場所又は配置される場所を示す情報である。また、資産名情報６は、固定資産の資産名、資産科目情報７は、固定資産の科目名、部門情報８は、固定資産が所属する部門に関する情報、資産管理情報９は、固定資産の管理状態を表す情報、例えば、償却状態を表す情報である。なお、共通情報には、他の情報を含むようにしてもよい。固定資産情報４と共通情報は、ファイル形式であってもよく、データベースのレコード形式であってもよい。
【００２７】
ここで、固定資産情報４と共通情報の構成について説明する。なお、以下では、共通情報として、場所情報５を例として説明する。図５は、固定資産情報４と場所情報５と構成例を示した図である。
【００２８】
図５に示すように、場所情報５は、識別情報５１に有効期間５２毎の固定資産が所属する場所５３又は配置される場所５３が紐付けられる。また、固定資産情報４は、固定資産の内容４１と、有効期間４２と識別情報４３との組を含む。
【００２９】
場所情報５を構成する識別情報５１は、情報処理装置１内でユニークな値であり、利用者により付されてもよく、情報処理装置１内で自動生成するものであってもよい。この識別情報５１には、有効期間５２と場所５３が紐付けられている。図５に示した例では、「Ｌ０００１」で示される識別情報５１に、「１９９０／６／３から現在（終点が未定）」を示す有効期間５２と、「本社」を示す場所５３が紐付けられている。また、「Ｌ０００５」で示される識別情報５１には、「２００１／１／１から２００８／３／３１まで」を示す有効期間５２と、「札幌支店（Ａビル）」を示す場所５３の組と、「２００８／４／１から２０１８／３／３１まで」を示す有効期間５２と、「札幌支社（Ａビル）」を示す場所５３の組と、「２０１８／４／１から現在（終点が未定）」を示す有効期間５２と、「札幌支社（Ｂビル）」を示す場所５３の組とが紐付けられている。この例では、本社は、１９９０／６／３から現在まで、移転や名称変更は行われておらず、現在の札幌支社は、２００８／４／１から２０１８／３／３１までは、札幌支店であり、２００８／４／１に札幌支社に昇格、２０１８／４／１にＡビルからＢビルに移転していることを示している。なお、場所情報５は、物理的な場所に限らず、部や課等の論理的な場所であってもよい。
【００３０】
また、固定資産情報４を構成する内容４１は、固定資産に関する情報であり、少なくとも、固定資産の名称を含んでいる。図５に示した例では、内容４１は、「撮影装置（Ａ２０００１０５）」であるが、これは、撮影装置が複数存在するため、管理番号を付しているものである。このため、「撮影装置（Ａ２０００１０５）」は、情報処理装置１内でユニークな値である。この内容４１には、「２０００／４／１から２００１／３／３１まで」を示す有効期間４２と、「Ｌ０００１」を示す識別情報４３の組と、「２００１／４／１から現在（終点が未定）」を示す有効期間４２と、「Ｌ０００５」を示す識別情報４３の組とが紐付けられている。この識別情報４３は、識別情報５１に対応するものである。
【００３１】
更新部１０２は、場所情報５と固定資産情報４とのそれぞれ更新可能に構成される。場所情報５と固定資産情報４の更新は、有効期間の始点を含む新たな追加情報を追加し、有効期間に追加情報の有効期間の始点を含む既存情報が管理部１０１で管理されていた場合には、該既存情報の有効期間の終点を追加情報の有効期間の始点と連続するように変更することで行う。また、更新部１０２は、追加情報の有効期間の始点よりも始点が後となる有効期間を含む既存情報が管理部１０１で管理されていた場合には、追加情報の有効期間の終点を該既存情報の有効期間の始点と連続するように変更する。
【００３２】
ここで、図６を参照して、更新部１０２による更新の具体的な例を説明する。図６は、場所情報５の更新を説明するための図である。なお、ここでは、場所情報５の更新を例として説明するが、固定資産情報４の更新も同様の方法で行うことができる。図５に示した「Ｌ０００５」で示される識別情報５１を有する場所情報５は、２００１／１／１から２００８／３／３１までが札幌支店（Ａビル）、２００８／４／１から２０１８／３／３１までが札幌支社（Ａビル）、２０１８／４／１から現在（有効期間の終点は未定）までが札幌支社（Ｂビル）である。この状態で、有効期間が２０２１／６／１から終点が未定の「北海道本部（Ｂビル）」の追加情報を追加すると、この追加情報の有効期間の始点である２０２１／６／１が、既存情報である「札幌支社（Ｂビル）」の有効期間である「２０１８／４／１から現在」に含まれるため、「札幌支社（Ｂビル）」の有効期間の終点を追加情報の有効期間の始点である２０２１／６／１と連続する２０２１／５／３１に変更する。
【００３３】
また、「北海道本部（Ｂビル）」を追加した状態で、さらに、有効期間が２０１２／４／１から終点が未定の「札幌支社（Ｘビル）」の追加情報を追加すると、この追加情報の有効期間の始点である２０１２／４／１が、既存情報である「札幌支社（Ａビル）」の有効期間である「２００８／４／１から２０１８／３／３１まで」に含まれるため、「札幌支社（Ａビル）」の有効期間の終点を追加情報の有効期間の始点である２０１２／４／１と連続する２０１２／３／３１に変更し、追加情報の有効期間の終点（未定）を、「札幌支社（Ｂビル）」の有効期間の始点である２０１８／４／１と連続する２０１８／３／３１に変更する。
【００３４】
また、更新部１０２は、追加情報を入力するための受付画面を提供可能に構成される。ここで、受付画面について説明する。図７は、場所情報５の一部を表示した表示画面の例を示した図であり、図８は、受付画面の表示例を示した図である。図７に示す表示画面２０１は、場所情報５を表示するとともに、場所情報５の追加又は編集を指示するための編集ボタン２１１が配置されている。この編集ボタン２１１を利用者が押下することで、図８に示す受付画面２０２が表示される。
【００３５】
図８に示すように、受付画面２０２は、場所情報５の名称を入力する名称欄２２１と、場所情報５の所在地を入力する所在地欄２２２と、場所情報５の保存を指示する指示ボタン２２３とが配置されている。また、更新を指示する指示ボタン２２３に隣接する位置に、追加情報の有効期間の始点を入力又は選択する期間入力欄２２４が配置されている。期間入力欄２２４は、表示画面２０１で表示されていた場所情報５の有効期間の始点がデフォルトで選択されており、この有効期間が変更されずに指示ボタン２２３が押下された場合には、既存情報の修正として情報が保存され、有効期間が変更された場合には、追加情報として情報が保存される。このため、期間入力欄２２４は、指示ボタン２２３の近傍で、利用者が注意しやすい位置に配置されている。
【００３６】
また、更新部１０２は、受付画面２０２から期間入力欄２２４を除外した受付画面と確認画面とを提供可能に構成することもできる。この場合の受付画面は、更新を指示する指示ボタンが配置されるとともに、確認画面は、追加情報の有効期間の始点を入力又は選択する期間入力欄が配置され、指示ボタンの押下に対応してポップアップ表示される。これにより、利用者の有効期間の確認を促すことが可能となる。
【００３７】
また、受付画面２０２は、写真の入力を受け付ける受付ボタン２２５を備える。この受付ボタン２２５により登録する写真が指定されると、更新部１０２は、受付ボタン２２５に対する操作に応じて受け付けた写真に付随する情報が共通情報の事項である場所情報５の項目に対応する場合には、該付随する情報を名称欄２２１、所在地欄２２２等の事項入力欄に入力するようにすることもできる。写真が指定されない場合には、更新部１０２は、名称欄２２１に入力された情報に基づいてアイコンを選択するようにしてもうよい。
【００３８】
なお、ここでは、場所情報５の入力について説明したが、固定資産情報４の入力も、同様に、受付画面から行われる。図９は、受付画面の表示例を示した図である。
【００３９】
図９に示すように、受付画面２０３は、固定資産情報の内容を入力する内容入力欄である資産名欄２３１、資産科目欄２３２、場所欄２３３、部門情報欄２３４、償却方法欄２３５等と、写真の入力を受け付ける受付ボタン２３６を備える。資産名欄２３１、資産科目欄２３２、場所欄２３３、部門情報欄２３４、償却方法欄２３５は、それぞれ、資産名情報６、資産科目情報７は、場所情報５、部門情報８、資産管理情報９から入力内容を選択できるように、コンボボックスやドロップダウンリストで構成される。また、図９では省略しているが、受付画面２０３には、入力内容を直接入力できるテキストボックス等を内容入力欄として配置されている。
【００４０】
受付ボタン２３６により登録する写真が指定されると、更新部１０２は、受付ボタン２３６に応じて受け付けた写真を画像認識し、該画像認識の結果に応じた固定資産情報の内容を内容入力欄に入力する。この画像認識は、例えば、機械学習による学習済みデータを用いることができ、写真から資産名等を特定することができる。
【００４１】
また、登録する写真が指定されなかった場合には、更新部１０２は、内容入力欄に入力された情報に基づいて、固定資産情報とともに表示するアイコンを選択し、選択したアイコンを写真に代えて利用することができる。
【００４２】
さらに、受付画面２０３には、保存を指示する指示ボタン２３７が配置され、この指示ボタン２３７に隣接する位置に、有効期間の始点を入力又は選択する期間入力欄２３８が配置されている。期間入力欄２３８には、有効期間の始点がデフォルトで選択されており、この有効期間が変更されずに指示ボタン２３７が押下された場合には、既存情報の修正として情報が保存され、有効期間が変更された場合には、追加情報として情報が保存される。このため、期間入力欄２３８は、指示ボタン２３７の近傍で、利用者が注意しやすい位置に配置されている。
【００４３】
ところで、出力部１０３は、固定資産情報４を画面表示用の表示情報又はファイルとして出力する際に、固定資産情報４のうち指定日時が有効期間に含まれる固定資産の内容と、該固定資産の内容に対応する識別情報４３から特定される場所情報５のうち指定日時が有効期間に含まれる場所５３とを含めて出力する。例えば、図５に示した例において、２０２１／４／１の固定資産情報４を出力する場合、内容４１に加え、「２００１／４／１から現在（終点が未定）」を示す有効期間４２と組である「Ｌ０００５」を示す識別情報４３に基づいて、場所情報５を取得する。場所情報５からは、「２０１８／４／１から現在（終点が未定）」を示す有効期間５２と組である場所５３が示す「札幌支社（Ｂビル）」を取得する。そして、内容４１と、「札幌支社（Ｂビル）」を示す場所５３が画面表示用の表示情報に含まれる。
【００４４】
このように、出力部１０３が、指定日時における固定資産情報４を出力することができるため、例えば、「２０年前に本社で購入した撮影装置」を手がかりに、該当する固定資産の現在の配置位置等を容易に確認することが可能となる。また、出力部１０３が出力する固定資産情報４には、詳細情報として、購入時から現在までの移動の履歴等を確認することが可能となっている。
【００４５】
ところで、固定資産情報４は、内容４１に償却期間を含む場合がある。この場合、出力部１０３は、固定資産情報４を出力する際に、図１０に示す表示画面２０４のように、償却状況表示欄２４１を設けるようにすることができる。図１０は、固定資産情報４の表示例を示した図である。償却状況表示欄２４１は、償却期間に応じた償却状態を示すバー２４２を含んでいる。また、バー２４２は、月毎に区切られており、償却状態に応じて月毎に異なる形態、例えば、異なる色で表示することができる。なお、バー２４２内の月の並びは、決算月に応じて、利用者がカスタマイズできる。
【００４６】
また、出力部１０３は、図１１に示す表示画面２０５のように、固定資産の一覧を出力することができる。図１１は、固定資産情報４の表示例を示した図である。出力部１０３は、固定資産情報４の一覧２５１を表示情報に含めて出力する際に、
一覧２５１の上部に日時を入力又は選択する日時欄２５２を配置し、一覧２５１の左隣に操作オブジェクト２５３を配置する。操作オブジェクト２５３は、一覧２５１に表示する固定資産情報４の条件の変更を受け付ける。操作オブジェクト２５３は、例えば、「資産科目」、「部門」、「設置場所」、「事業供用日」、「資産状態」、「取得価格」、「取得日付」、「その他の条件」に応じたものが配置され、利用者により「資産科目」が選択されると、さらに、「建物」、「附属設備」、「工具器具備品」、「ソフトウェア」等の詳細を選択できるようになっている。操作オブジェクト２５３が操作されると、その操作に応じた固定資産情報４が一覧２５１として表示されることになる。
【００４７】
４．情報処理装置１の動作
次に、情報処理装置１の動作のうち主要な動作について説明する。図１２は、場所情報５又は固定資産情報４に、情報を追加する場合の更新部１０２の動作の流れを示すアクティビティ図である。また、図１３は、固定資産情報４を出力する際の出力部１０３の動作の流れを示すアクティビティ図である。
【００４８】
更新部１０２は、場所情報５又は固定資産情報４に対する情報の追加が指示されると、まず、追加情報の有効期間始点を確認し（Ａ１０１）、さらに、既存情報の有効期間を確認する（Ａ１０２）。確認の結果、追加情報の有効期間始点と重複する有効期間を有する既存情報が存在すれば、当該既存情報の有効期間終点を変更する（Ａ１０３）。
【００４９】
続いて、更新部１０２は、追加情報の有効期間終点を確認し（Ａ１０４）、さらに、既存情報の有効期間を確認する（Ａ１０５）。確認の結果、追加情報の有効期間終点と重複する有効期間を有する既存情報が存在すれば、追加情報の有効期間終点を変更し（Ａ１０６）、追加情報を追加して（Ａ１０７）、処理を終了する。
【００５０】
また、出力部１０３は、固定資産情報４の出力が指示されると、まず、指定された固定資産情報４を取得する（Ａ２０１）。そして、取得した固定資産情報４から、指定日付を有効期間に含む識別情報を確認する（Ａ２０２）。続いて、確認した識別情報に対応する場所情報５を取得する（Ａ２０３）。そして、取得した場所情報５から、指定日付を有効期間に含む場所を確認し（Ａ２０４）、取得した固定資産情報４の内容と場所を併せて出力する（Ａ２０５）。なお、固定資産情報４の一覧など、複数の固定資産情報４を出力する場合には、同様の処理を繰り返す。
【００５１】
なお、ここで説明した動作の流れは、一例である。
【００５２】
５．その他
本発明は、次に記載の各態様で提供されてもよい。
前記情報処理装置において、前記更新部は、前記追加情報の有効期間の始点よりも始点が後となる有効期間を含む既存情報が前記管理部で管理されていた場合には、前記追加情報の有効期間の終点を該既存情報の有効期間の始点と連続するように変更する情報処理装置。
前記情報処理装置において、前記共通情報は、固定資産が所属する場所又は配置される場所を示す場所情報を含む情報処理装置。
前記情報処理装置において、前記更新部は、受付画面を提供可能に構成され、前記受付画面は、更新を指示する指示ボタンに隣接する位置に、前記追加情報の有効期間の始点を入力又は選択する期間入力欄が配置されている情報処理装置。
前記情報処理装置において、前記更新部は、受付画面と確認画面とを提供可能に構成され、前記受付画面は、更新を指示する指示ボタンが配置され、前記確認画面は、前記追加情報の有効期間の始点を入力又は選択する期間入力欄が配置され、前記指示ボタンの押下に対応して表示される情報処理装置。
前記情報処理装置において、前記受付画面は、前記共通情報の事項を入力する事項入力欄と、写真の入力を受け付ける受付ボタンとを備え、前記更新部は、前記受付ボタンに応じて受け付けた写真に付随する情報が前記共通情報の事項に対応する場合には、該付随する情報を前記事項入力欄に入力する情報処理装置。
前記情報処理装置において、前記受付画面は、前記固定資産情報の内容を入力する内容入力欄と、写真の入力を受け付ける受付ボタンを備え、前記更新部は、前記受付ボタンに応じて受け付けた写真を画像認識し、該画像認識の結果に応じた前記固定資産情報の内容を前記内容入力欄に入力する情報処理装置。
前記情報処理装置において、前記受付画面は、前記固定資産情報の内容を入力する内容入力欄を備え、前記更新部は、前記内容入力欄に入力された情報に基づいて、前記固定資産情報とともに表示するアイコンを選択する情報処理装置。
前記情報処理装置において、前記固定資産情報の内容は、償却期間を含み、前記出力部は、前記固定資産情報を出力する際に、前記償却期間に応じた償却状態を示すバーを含めて出力する情報処理装置。
前記情報処理装置において、前記バーは、月毎に区切られている情報処理装置。
前記情報処理装置において、前記出力部は、前記固定資産情報の一覧を前記表示情報に含めて出力する際に、前記一覧の左隣に操作オブジェクトを配置し、前記操作オブジェクトは、前記一覧に表示する前記固定資産情報の条件の変更を受け付ける情報処理装置。
コンピュータを情報処理装置として動作させるプログラムであって、コンピュータを前記情報処理装置として機能させるプログラム。
もちろん、この限りではない。
【符号の説明】
【００５３】
１      ：情報処理装置
２      ：利用者端末
３      ：ネットワーク
４      ：固定資産情報
５      ：場所情報
６      ：資産名情報
７      ：資産科目情報
８      ：部門情報
９      ：資産管理情報
１１    ：処理部
１２    ：記憶部
１３    ：一時記憶部
１４    ：外部装置接続部
１５    ：通信部
１６    ：通信バス
４１    ：内容
４２    ：有効期間
４３    ：識別情報
５１    ：識別情報
５２    ：有効期間
５３    ：場所
１０１  ：管理部
１０２  ：更新部
１０３  ：出力部
２０１  ：表示画面
２０２  ：受付画面
２０４  ：表示画面
２０５  ：表示画面
２１１  ：編集ボタン
２２１  ：名称欄
２２２  ：所在地欄
２２３  ：指示ボタン
２２４  ：期間入力欄
２２５  ：受付ボタン
２４１  ：償却状況表示欄
２４２  ：バー
２５１  ：一覧
２５２  ：日時欄
２５３  ：操作オブジェクト
【要約】
【課題】効率よく固定資産を管理することのできる情報処理装置及びプログラムを提供すること。
【解決手段】本発明の一態様によれば、情報処理装置が提供される。この情報処理装置は、管理部と、更新部と、出力部とを備える。管理部は、共通情報と、固定資産情報とを管理する。共通情報は、固定資産情報の１つ以上に共通する事項を含み、該事項が有効期間毎に識別情報に紐付けられる。固定資産情報は、固定資産の内容と、有効期間と識別情報との組を含む。更新部は、共通情報と固定資産情報とのそれぞれ更新可能に構成される。更新は、有効期間の始点を含む新たな追加情報を追加し、有効期間に追加情報の有効期間の始点を含む既存情報が管理部で管理されていた場合には、該既存情報の有効期間の終点を追加情報の有効期間の始点と連続するように変更することで行う。出力部は、固定資産情報を画面表示用の表示情報又はファイルとして出力する際に、固定資産情報のうち指定日時が有効期間に含まれる固定資産の内容と、該固定資産の内容に対応する識別情報から特定される共通情報のうち指定日時が有効期間に含まれる事項とを含めて出力する。
【選択図】図１【図１】
0006963140.tif 000002
【図２】
0006963140.tif 000003
【図３】
0006963140.tif 000004
【図４】
0006963140.tif 000005
【図５】
0006963140.tif 000006
【図６】
0006963140.tif 000007
【図７】
0006963140.tif 000008
【図８】
0006963140.tif 000009
【図９】
0006963140.tif 000010
【図１０】
0006963140.tif 000011
【図１１】
0006963140.tif 000012
【図１２】
0006963140.tif 000013
【図１３】
0006963140.tif 000014